(57)【特許請求の範囲】
【請求項１】
電解水を生成する電解槽と、前記電解槽に供給する電解質を収納する電解質収納部を備え、原水を注入する給水部を設けて、前記給水部からポンプを用いて原水を電解質収納部に供給することで前記電解質収納部内の電解質を電解槽に圧送し、またポンプと電解質収納部とを連結する通路に分岐手段を設け、前記分岐手段の他端に水抜き手段を設けた電解水生成装置。
【請求項２】
電解槽へ水を供給するとき開ける開閉蓋を設け、水抜き手段を閉塞しかつ前記開閉蓋を閉めると、ポンプと電解質収納部との通路が密閉される請求項１記載の電解水生成装置。
【請求項３】
開閉蓋と電解槽を密閉するシール材を有し、前記シール材にて分岐手段の開放端を閉塞する請求項２記載の電解水生成装置。
【発明の詳細な説明】
【０００１】
【発明の属する技術分野】
本発明は、被電解水を滞留状態で電気分解して電解水を生成する電解水生成装置に関するものである。
【０００２】
【従来の技術】
電解水生成装置には、水道などの給水設備に接続され、流水状態で電解を行い、酸性水やアルカリ水を生成する流水式と、給水設備に接続しない簡易な低コスト構造で水を滞留状態で電解するバッチ式がある。流水式では即座に電解水が取水できるメリットがあるが、酸化力の強い酸性水や還元力の強いアルカリ水を得ようとした場合、電極の大型化が必要となり、大電力が必要となるとともに複雑な構成が必要となり、装置全体のコストアップとなる。一方バッチ式は滞留状態で電解するため長時間にわたる電解が可能であり、簡易な構成で前記酸性水やアルカリ水が得られやすい。
【０００３】
従来の電解水生成装置としては、流水式において効率よく電解水を生成できる例として図９に示す外観のものがあった。この電解水生成装置においては、電解質として原水に一定濃度の塩（ＮａＣｌ）などを添加し、原水の電気抵抗を下げることにより電気を通電しやすくして、電気分解を促進する構成としており、本体１内に電解質を蓄積するタンクを設け、図１０に示すように、本体１上方に設けた着脱可能なプラグ２を外し、その都度、漏斗３で電解質である塩をタンク内に注入する構成であった。
【０００４】
【発明が解決しようとする課題】
しかしながら上記従来の構成の電解水生成装置においては、電解質である塩をその都度、漏斗３でタンク内に注入する必要があるため、手間がかかり使用性が低い課題があった。また、タンク内で電解液が乾燥して析出固着することで、装置の耐久性に課題を有していた。
【０００５】
本発明の課題は以上のような従来の問題を解決しようとするもので、電解質の供給頻度を少なくすることで、装置の使用性および耐久性の向上を図ることを目的としている。
【０００６】
【課題を解決するための手段】
上記従来の課題を達成するために本発明は、ポンプと電解質収納部との通路に分岐手段を設け、前記分岐手段の他端に水抜き手段を設けたもので、分岐手段から空気を進入させることで、容易に通路内の水を抜くことができ、簡単に作業ができるため、装置の使用性が向上できる。
【０００７】
【発明の実施の形態】
請求項１記載の発明は、ポンプと電解質収納部との通路に分岐手段を設け、前記分岐手段の他端に水抜き手段を設けたもので、分岐手段から空気を進入させることで、容易に通路内の水を抜くことができ、簡単に作業ができるため、装置の使用性が向上できる。
【０００８】
請求項２記載の発明は、請求項１記載の構成において、電解槽へ水を供給するとき開ける開閉蓋を設け、水抜き手段を閉塞しかつ前記開閉蓋を閉めると、ポンプと電解質収納部との通路が密閉されるもので、通路内の空気抜き作業を行うとき、開閉蓋を開けるだけで通路内に水抜き用の空気が送れ、容易に作業が簡単に行えるため、装置の使用性が向上できる。
【０００９】
請求項３記載の発明は、請求項２記載の構成において、開閉蓋と電解槽を密閉するシール材を有し、前記シール材にて分岐手段の開放端を閉塞するもので、２部品を一体化させたことにより部品点数の削減と低コスト化が実践でき、安価に装置が構成できる。
【００１０】
【実施例】
（実施例１）
本発明の第１の実施例を図１〜６を用いて説明する。２１は電解水生成装置の本体であり、電解槽２２を支持し排水タンク２３を収納するボデーカクヘキシタ２４、その下方のボデーシタ２５、前記電解槽２２前面のボデーマエ２６、その後方で制御基板を保持するプリントキバンカバー２７、前記電解槽２２の上方のカバー体となるボデーウエ２８、前記電解槽２２に水を供給するときに開口する開閉蓋２９からなっている。
【００１１】
前記電解槽２２は、隔膜３０を介して、酸性水を生成する陽極室３１と、アルカリ水を生成する陰極室３２とで構成され、前記陽極室３１には陽極３３が、前記陰極室３２には陰極３４がそれぞれ設けられている。
【００１２】
前記電解槽２２横方には、電解質として塩、それと水を入れた電解質収納部（ここでは電解質収納部３５と称す）が設けられており、前記電解槽２２側方に設けられた給水部３６内の水を、ポンプ３７で吸引し、前記電解質収納部３５に供給し、その押出圧により前記電解質収納部３５下方に精製された飽和食塩水を一定量押し出し、前記陽極室３１に供給する。
【００１３】
前記陽極室３１に供給された飽和食塩水が電解液の働きを行い、前記電解槽２２内の前記陽極３３と陰極３４の間に電気を通電しやすくし、電解を推進することにより、前記陽極室３１内に酸性水が、前記陰極室３２内にはアルカリ水が、それぞれ生成される。本体２１上方には、制御基板を有する操作部３８が構成されている。
【００１４】
次に本実施例の構成に於ける動作、作用を説明する。本実施例の構成に於ける電解水生成装置の電解槽２２におよび給水部３６の開口よりに所定水位まで原水を入れ、操作部３８の電源スイッチを投入すると、給水部３６内の原水がポンプ３７で吸引され、通路Ａ４４ａと通路Ｂ４４ｂを介して電解質収納部３５に送られることにより、前記電解質収納部３５下向に生成された飽和食塩水が一定量、通路Ｃ４４ｃを介して陽極室３１に供給され、電解が推進することにより、前記陽極室３１内に酸性水を、陰極室３２内にはアルカリ水を、それぞれ生成する。このとき、大量の塩を蓄積した電解質収納部３５を設け、塩を供給する頻度を少なくすることにより塩分の析出固着等の頻度を減少できるとともに、各電解毎にポンプ３７にて一定量の塩を陽極室３１に供給されるため、塩の濃度管理が容易にでき、前記ポンプ３７に供給する原水が陽極室３１及び陰極室３２とは別の給水部３６より供給されるため、前回の食塩水の電解によって生じ槽内部に残留していた次亜塩素酸が含まれた水が前記ポンプ３７に供給されることもなく、前記ポンプ３７内部が早期に腐食する等の問題も生じないため、長期間安定して電解水生成装置を使用できる。
【００１５】
また、図１のように、給水部３６および電解槽２２の上方には電解槽開閉蓋３９が設けてあり、原水注入用の開口部は、電解槽２２の上方の開口部４０ｂより、給水部３６の上方の開口部４０ａの方が開口面積が大きくなるよう形成してあるため、電解水生成装置本体２１に原水を供給するとき、同時に電解槽２２および給水部３６に原水が供給できるとともに、優先的に前記給水部３６内に原水が供給され先に満水となることで、陽極室３１内に残留した次亜塩素酸が給水部３６に侵入することがなく、給水部３６内の次亜塩素酸濃度を水道水と同等の略１０ｐｐｍ以下に抑えることができる構成となっている。
【００１６】
また、各電解毎に前記給水部３６内に蓄積した原水を全て使いきる構成となっている。各電解毎に前記給水部３６内の原水を全て使いきるため、電解時には常に新鮮な原水が給水部３６に供給され、前記給水部３６内に次亜塩素酸が残留することもなく、より安定して装置が使用できる。
【００１７】
また、図１、図２、図４のように、ポンプ３７から電解質収納部３５へと通じる通路Ｂ４４ｂに、通路Ｂ４４ｂ内の水を抜く水抜き手段４１が設けられており、装置を長期間使用しないとき、水抜き手段４１にて通路Ｂ４４ｂ内の水を抜くことができるため、水漏れに対する障害や、水腐敗による異臭発生等の課題が解決でき、長期間安定して使用できる。上記構成は、ポンプ３７と電解質収納部３５の通路Ｂ４４ｂの途中に分岐手段４２を設け、通路Ｂ４４ｂ内の水を抜くとき、前記分岐手段４２から通路内に空気を取り入れることができる構成としており、通路Ｂ４４ｂ内の水を抜くとき、分岐手段４２から通路Ｂ４４ｂ内に空気を取り入れることができるため、容易に通路Ｂ４４ｂ内の水を抜くことができ、簡単に作業ができるため、非常に使いやすい。
【００１８】
また、電解槽２２に源水を供給するとき、開閉蓋２９を開けて作業を行うが、前記開閉蓋２９を閉めたとき、通路Ｂ４４ｂの先端５０が前記開閉蓋２９内面に設けたシール材４３で塞がれ、水抜き手段４１が閉じているとき、通路Ｂ４４ｂ内部が密閉される構造となっている。通路Ｂ４４ｂ内の水を抜くとき、開閉蓋２９を開けるだけで、通路Ｂ４４ｂ内に水抜きの空気が送れ、その状態で水抜き手段４１を開けることにより容易に水抜き作業が行えるため、使いやすい。
【００１９】
また、図７、図８に示すように、ポンプ３７と電解質収納部３５の通路Ｂ４４ｂの通路途中に水量を絞る縮小部４９を設けていて、通路Ｂ４４ｂ内の縮小部４９で流量を調整し、電解質収納部３５から陽極室３１に押し出す飽和食塩水の量を調整するが、加工精度の高い前記縮小部４９で流量調整することにより、容易に前記電解質収納部３５に送る水量を調整することができ、安価で精度の高い装置を供給できる。また、縮小部４９の上流側に塵埃を除去するフィルター４５と、前記縮小部４９の下流側に電解質収納部３５内の塩の逆流を防止する逆止弁４６とを設けていて、縮小部４９で流量を調整し、電解質収納部３５から陽極室３１に押し出す飽和食塩水の量を調整するが、前記縮小部４９上流に水中の塵埃を除去するフィルター４５が設けられているため、使用中の縮小部４９の詰まりが防止でき、長期間に渡って詰まりによる流量変化が生じず、耐久性の優れた装置を供給できる。しかも、電解質収納部３５の給水口内にフィルター４５と縮小部４９と逆止弁４６を設け、前記電解質収納部３５を本体２１から取り外したとき、前記３部品も同時に取り外せるように構成されており、縮小部４９の目詰まり等の障害が生じたとき、電解質収納部３５を本体２１から取り外すことにより、フィルター４５、縮小部４９、逆止弁４６が一体で取り外せ、水洗い等のメンテナンスが容易に実施でき、非常に使いやすい。
【００２０】
また、図１に示すように電解質収納部３５の下方に水抜き穴４７が設けられている。装置を長期間使用しないとき、水抜き穴４７を設け、電解質収納部３５内の飽和食塩水を放出することで、保管中に装置が横倒しになったときにも食塩水の漏れは発生せず、非常に使いやすい。さらに、前記水抜き手段４１及び水抜き穴４７の下方に高さ７０ｍｍ以上の空間４８が設けており、水抜き手段４１及び水抜き穴４７より水を抜くとき、空間４８に紙コップ等の容器を置くことができ、容易に抜き取り作業ができるため、操作が簡単になる。
【００２１】
また、給水部３６が陽極室３１の隣に設けられていて、陽極室３１側面に直接給水部３６を設けたため水を供給しやすく、また小型化が可能なため、非常に使いやすい。また、給水部３６が陰極室３２の隣に設けられていて、陰極室３２側面に直接給水部３６を設けたため水を供給しやすく、また小型化が可能と同時に、塩を供給する陽極室３１則面が大きく開放されるため、十分な通路スペースが確保でき、組み立てが容易になる。
【００２２】
【発明の効果】
以上本発明によれば、電解質の供給頻度を少なくすることで、装置の使用性および耐久性の向上を実現できる。
【図面の簡単な説明】
【図１】本発明の第１の実施例の電解水生成装置の正面断面図
【図２】同電解水生成装置の左側面断面図
【図３】同電解水生成装置の右側面断面図
【図４】同電解水生成装置の簡略システム図
【図５】同電解水生成装置のボデーウエを取外した平面図
【図６】同電解水生成装置の平面図
【図７】同電解質収納部の断面図
【図８】同電解質収納部の要部を表す断面図
【図９】従来の電解水生成装置の外観図
【図１０】（ａ）同電解水生成装置の要部を示す外観図
（ｂ）同電解水生成装置に原料を投入する図
【符号の説明】
２２  電解槽
２９  開閉蓋
３５  電解質収納部
３６  給水部
３７  ポンプ
３９  電解槽開閉蓋
４０  開口部
４１  水抜き手段
４２  分岐手段
４３  シール材
４９  縮小部
４５  フィルター
４６  逆止弁
４７  水抜き穴
【図１】
0003575457.tif 000002
【図２】
0003575457.tif 000003
【図３】
0003575457.tif 000004
【図４】
0003575457.tif 000005
【図５】
0003575457.tif 000006
【図６】
0003575457.tif 000007
【図７】
0003575457.tif 000008
【図８】
0003575457.tif 000009
【図９】
0003575457.tif 000010
【図１０】
0003575457.tif 000011